(57)【要約】【課題】縁面嵌挿保持タイプのリムレス眼鏡において、眼鏡レンズの保持が確実で、美観、軽量化、広い視界の確保等を実現する。【解決手段】眼鏡レンズ２１の縁部Ｐｏに突条３１を有する切欠部３０を形成し、その反転形状を有するレンズ保持部２４Ｂを嵌挿し、レンズ２１を保持する。突条３１は、その高さが、突条間の溝部３２Ｃの最小溝幅以下でかつその溝長さの半分以下の凸曲線からなり、その端縁における接線が突条側に傾斜している。前記切欠部３０は、その溝幅が切欠部の溝長さの半分以下であり、突条間の溝部３２Ｃの溝長さは、前方溝部３２Ａの溝長さより短く、かつ、後方溝部３２Ｂの溝長さより長く、前記レンズ保持部２４Ｂは、前方嵌合部３３Ａの前後幅が、前記突条間嵌合部３３Ｃの前後幅と後方嵌合部３３Ｂの前後幅の和以上である。【選択図】  図２
2011186048.tif 000002
【特許請求の範囲】
【請求項１】
眼鏡レンズの縁部に、少なくとも縁面とレンズ前面に開放しレンズ前面側から後面側に向かう断面Ｕ字状の溝からなり、その内周壁の溝長さ方向の中間に溝断面方向に沿って突条が設けられている切欠部を形成し、この切欠部に、眼鏡フレームのレンズ保持部材に形成された前記切欠部の略反転形状を含むレンズ保持部であって前記突条に嵌合する溝条を有するレンズ保持部を、前記突条に前記溝条が案内されながらレンズの縁面側から挿入して嵌合してレンズを保持するリムレス眼鏡のレンズ保持構造において、
前記切欠部は、前記突条よりレンズ前方側の前方溝部、レンズ後方側の後方溝部、および、突条間の溝部とからなっており、前記前方溝部は、その内周壁の上下面が平行で、その溝幅が前記切欠部の溝長さの半分以下であり、前記突条間溝部の溝長さは、前記前方溝部の溝長さより短く、かつ、前記後方溝部の溝長さより長く、
前記突条の断面外形状は凸曲線からなり、
前記レンズ保持部は、前記前方溝部に嵌合する部分を有する前方嵌合部と、前記後方溝部に嵌合する部分を有する後方嵌合部と、前記突条間溝部に嵌合する突条間嵌合部とを一体に備え、
前記前方嵌合部の前後幅は、前記突条間嵌合部の前後幅と後方嵌合部の前後幅の和以上であることを特徴とする眼鏡レンズの保持構造。
【請求項２】
請求項１記載の眼鏡レンズの保持構造において、
前記突条の高さは、前記突条間溝部の最小溝幅の半分以上最小溝幅以下であるとともに前記突条間溝部の溝長さの半分以下であり、
前記突条の断面形状の端縁における接線が突条先端側に傾斜していることを特徴とする眼鏡レンズの保持構造。
【請求項３】
請求項１または２記載の眼鏡レンズの保持構造において、
前記前方溝部の溝長さは、前記突条間溝部の溝長さと前記後方溝部の溝長さの和以上であることを特徴とする眼鏡レンズの保持構造。
【請求項４】
請求項１、２、３のうちのいずれか一項記載の眼鏡レンズの保持構造によりレンズが保持されているリムレス眼鏡。
【発明の詳細な説明】
【技術分野】
【０００１】
本発明は、縁無しタイプの眼鏡レンズを保持する眼鏡レンズの保持構造およびリムレス眼鏡に関する。
【背景技術】
【０００２】
近年、視野の広さや軽量性の利点、デザインのシンプルさ等から縁無しタイプの眼鏡（以下、リムレス眼鏡と呼ぶ）が注目されている。
【０００３】
リムレス眼鏡の一種として、例えば特許文献１に開示されているリムレス眼鏡が知られている。このリムレス眼鏡は、図１０に示すようにプラスチック製の眼鏡レンズ１の耳側縁部Ｐｏに、その縁面１ａ、レンズ前面１ｂ、および、レンズ後面１ｃに開放する切欠部２をレンズの内方に向かって形成し、この切欠部２に智３の先端部に形成されたレンズ保持部３Ａが嵌め込まれた状態で接着剤で固定し、眼鏡レンズ１の耳側縁部Ｐｏを保持するようにしている。切欠部２は、眼鏡の正面から見てＵ字状の溝で、一定または溝の底に行くほど狭まる溝幅Ｗｋを有し、内周壁の溝長さ方向（Ｗｏ方向）中間に断面形状が台形の突条４が溝断面方向全周にわたって一体に突設されている。このため、突条４も眼鏡の正面視においてＵ字状で、上側と下側の突条４の頂部が上下に対向している。
【０００４】
智３は、その基端にテンプル６が丁番７を介して折り畳み自在に連結され、先端側がレンズ方向に折れ曲がってその先端部にレンズ保持部３Ａが形成されている。レンズ保持部３Ａは、その上下幅Ｗｔは溝幅Ｗｋと略一致し、その上下面および先端面に突条４が嵌め込まれる断面台形状の溝条５が形成されている。
【０００５】
図１０においては、レンズ保持部３Ａは智３に形成されているが、左右のレンズを連結するブリッジにレンズ保持部３Ａを形成することもできる。その場合には、１つのブリッジの両端部にそれぞれレンズ保持部３Ａを形成すればよい。
【０００６】
以下、本明細書においては、レンズ保持部が形成された眼鏡フレームの部材（例えば、智やブリッジ）をレンズ保持部材と称する。また、図１０に示したように、眼鏡レンズの縁部に、少なくとも縁面とレンズ前面に開放したレンズ前面側から後面側に向かう溝からなり、その内周壁の溝長さ方向の中間に溝断面方向にわたって突条または溝条が設けられた切欠部を形成し、この切欠部に、眼鏡フレームのレンズ保持部材に形成された前記突条または溝条に嵌合する溝条または突条を有するレンズ保持部を、レンズの縁面側から前記切欠部の突条または溝条に、前記レンズ保持部の溝条または突条が案内されながら挿入して嵌合し、このレンズ保持部によってレンズを保持するレンズ保持構造を縁面嵌挿保持構造と呼び、そのような保持構造を備えたリムレス眼鏡を縁面嵌挿保持タイプのリムレス眼鏡と呼ぶこととする。
【０００７】
眼鏡レンズ１に切欠部２を形成するには、図１１に示す回転カッター１０（例えば、エンドミル）が用いられる。回転カッター１０は、円柱状のシャンク１０Ａと、このシャンク１０Ａの先端面に設けられた刃部１０Ｂとからなる。また、刃部１０Ｂは、切欠部２のうち突条４を加工形成する頸部１２と、突条４より手前側の溝部２Ａを加工形成する本体部１１Ａと、突条４より後方側の溝部２Ｂを加工形成する頭部１１Ｂとで構成されている。本体部１１Ａと頭部１１Ｂは、回転刃面が同一外径になる刃からなり、頸部１２の回転刃面はこれらより細い外径になる刃からなっている。このような回転カッター１０は、その回転軸を眼鏡レンズ１の正面方向に対して前面（凸面）のカーブに合わせて傾斜させた状態で、縁面１ａからレンズ内方に向かって回転させながら移動させることにより、レンズ縁部に突条４を有する切欠部２を形成することができる。
【先行技術文献】
【特許文献】
【０００８】
【特許文献１】特許第３７３７９５７号公報
【発明の概要】
【発明が解決しようとする課題】
【０００９】
リムレス眼鏡においては、美観、軽量化、広い視界の確保等の目的から眼鏡の正面から見てレンズ保持部３Ａをより細くしたいという要望がある。例えば、上記した縁面嵌挿保持タイプのリムレス眼鏡においては、切欠部２の溝幅Ｗｋとレンズ保持部３Ａの上下幅Ｗｔをより狭くしたいという要望がある。
【００１０】
しかしながら、切欠部２の溝幅Ｗｋとレンズ保持部３Ａの上下幅Ｗｔを狭くした場合、レンズ保持部３Ａの強度が低下し、また切欠部２を形成するための回転カッター１０も細くなって強度が著しく低下するという問題があった。すなわち、切欠部２の上下溝幅Ｗｋを狭くすると、突条４の頂面間間隔ｅが必然的に小さくなるため、回転カッター１０の頸部１２を細く形成する必要がある。このような回転カッター１０は、基端側のシャンク１０Ａが加工装置のチャックによって片持ち保持された状態で眼鏡レンズ１の縁面１ａを溝加工するため、頸部１２の外径が細くなればなる程、頸部１２に大きな曲げモーメントが加わり、頸部１２が破損しやすくなってしまう。
【００１１】
また、レンズ保持部３Ａはその上下幅Ｗｔが狭くなるほど強度は低下する上に、溝条５の部分の上下幅も狭くなるとさらにレンズ保持部の強度が低下するおそれがある。
【００１２】
本発明は、上記した従来の問題を解決するためになされたもので、その目的とするところは、縁面嵌挿保持タイプのリムレス眼鏡において、眼鏡レンズの保持が確実で、美観、軽量化、広い視界の確保等を実現することができる眼鏡レンズの保持構造、これを用いたリムレス眼鏡およびリムレス眼鏡の眼鏡フレームを提供することにある。
【課題を解決するための手段】
【００１３】
上記目的を達成するために第１の発明に係る眼鏡レンズの保持構造は、眼鏡レンズの縁部に、少なくとも縁面とレンズ前面に開放しレンズ前面側から後面側に向かう断面Ｕ字状の溝からなり、その内周壁の溝長さ方向の中間に溝断面方向に沿って突条が設けられている切欠部を形成し、この切欠部に、眼鏡フレームのレンズ保持部材に形成された前記切欠部の略反転形状を含むレンズ保持部であって前記突条に嵌合する溝条を有するレンズ保持部を、前記突条に前記溝条が案内されながらレンズの縁面側から挿入して嵌合してレンズを保持するリムレス眼鏡のレンズ保持構造において、
前記切欠部は、前記突条よりレンズ前方側の前方溝部、レンズ後方側の後方溝部、および、突条間の溝部とからなっており、前記前方溝部は、その内周壁の上下面が平行で、その溝幅が前記切欠部の溝長さの半分以下であり、前記突条間溝部の溝長さは、前記前方溝部の溝長さより短く、かつ、前記後方溝部の溝長さより長く、前記突条の断面外形状は凸曲線からなり、前記レンズ保持部は、前記前方溝部に嵌合する部分を有する前方嵌合部と、前記後方溝部に嵌合する部分を有する後方嵌合部と、前記突条間溝部に嵌合する突条間嵌合部とを一体に備え、前記前方嵌合部の前後幅は、前記突条間嵌合部の前後幅と後方嵌合部の前後幅の和以上であることを特徴とするものである。
【００１４】
第２の発明に係る眼鏡レンズの保持構造は、上記第１の発明において、前記突条の高さが、前記突条間溝部の最小溝幅の半分以上最小溝幅以下であるとともに前記突条間溝部の溝長さの半分以下であり、前記突条の断面形状の端縁における接線が突条先端側に傾斜していることを特徴とするものである。
【００１５】
第３の発明に係る眼鏡レンズの保持構造は、上記第１または第２の発明において、前記前方溝部の溝長さは、前記突条間溝部の溝長さと前記後方溝部の溝長さの和以上であることを特徴とするものである。
【００１６】
第４の発明に係るリムレズ眼鏡は、上記第１、第２、第３の発明のうちのいずれか１つに係る眼鏡レンズの保持構造を備えていることを特徴とするものである。
【発明の効果】
【００１７】
第１の発明においては、前方溝部は、その内周壁の上下面が平行で、その溝幅が切欠部の溝長さの半分以下であり、突条間溝部の溝長さは、前記前方溝部の溝長さより短く、かつ、後方溝部の溝長さより長く設定しているので、切欠部を切削加工するための回転カッターは、突条間溝部を切削する部分（頸部）より先の後方溝部を切削するための部分（頭部）の長さが短くなり、切欠部を加工する時に回転カッターの頸部に加わる曲げモーメントを小さくすることができる。したがって、前記前方溝部の溝幅が前記切欠部の溝長さの半分以下の切欠部を加工する場合であっても、強度が最も弱くなる頸部における回転カッターの破損を防止することができる。また、レンズ保持部も切欠部と略反転形状であるため、レンズ保持部の上下幅を狭くすることができる。
【００１８】
また、リムレス眼鏡においては、テンプルを両外側に開くときや装用時に、レンズ保持部材にはその基端側から略水平かつレンズ前方方向の外力が加わるが、レンズ保持部の前方嵌合部の前後幅は、前記突条間嵌合部の前後幅と後方嵌合部の前後幅の和以上であるので、そのような外力が加わっても、レンズ保持部が曲がったり、破損したりするのを防止することができる。
【００１９】
第２の発明においては、突条は、その高さが、突条間溝部の最小溝幅の半分以上最小溝幅以下であるとともに前記突条間溝部の溝長さの半分以下の凸曲線からなり、その端縁における接線が突条先端側に傾斜しているので、回転カッターの頸部の太さを溝深さ以上にすることができるとともに、頸部の外周を緩やかな曲面で、かつ、頸部とそれより手前の前方溝部を切削するための部分（本体部）との接続部分並びに頭部との接続部分の角度を鈍角にすることができるので、切欠部を加工する時に回転カッターの頸部やその両端に集中する応力を低減でき、回転カッターの破損を防止することができる。
【００２０】
第３の発明においては、前方溝部の溝長さは、突条間溝部の溝長さと後方溝部の溝長さの和以上に設定しているので、レンズ保持部の前方嵌合部の先端面と、前方溝部の底面との前後方向接触幅を大きくとることができ、前記したような外力がレンズ保持部材に加わった場合でもレンズ保持構造の強度を大きくできるとともに、突条に加わる力も低減でき突条の破損も防止することができる。
【００２１】
第４の発明においては、眼鏡レンズの保持が確実で、レンズ保持部の上下幅が細いリムレス眼鏡フレームを用いたリムレス眼鏡を提供することができる。
【図面の簡単な説明】
【００２２】
【図１】本発明に係るリムレス眼鏡の一実施の形態を示す斜視図である。
【図２】眼鏡レンズの保持構造の一実施の形態を示す分解斜視図である。
【図３】眼鏡レンズの保持構造の断面図である。
【図４】切欠部を示す断面図である。
【図５】レンズ保持部を示す図である。
【図６】回転カッターによる切欠部の加工状態を示す図である。
【図７】眼鏡レンズの保持構造の他の実施の形態を示す図である。
【図８】眼鏡レンズの保持構造の他の実施の形態を示す図である。
【図９】眼鏡レンズの保持構造のさらに他の実施の形態を示す図である。
【図１０】従来の眼鏡レンズの保持構造を示す分解斜視図である。
【図１１】回転カッターによる切欠部の加工状態を示す図である。
【発明を実施するための形態】
【００２３】
以下、本発明を図面に示す実施の形態に基づいて詳細に説明する。
図１において、リムレス眼鏡２０は、左右一対のプラスチック製の眼鏡レンズ２１、２２と、これらの眼鏡レンズ２１、２２の鼻側（内側）縁部Ｐｓを保持し連結するブリッジ２３と、各眼鏡レンズ２１、２２の耳側（外側）縁部Ｐｏを保持する左右一対の智２４、２５と、前端が各智２４、２５の基端に丁番２６（図２参照）を介してそれぞれ内側に折り畳み自在に連結された左右一対のテンプル２７、２８とを備えている。
【００２４】
智２４、２５の先端部およびブリッジ２３の両端部にはそれぞれレンズ２１、２２を保持するためのレンズ保持部が形成されており、レンズの耳側縁部Ｐｏおよび耳側縁部Ｐｓには、それぞれ前記レンズ保持部が挿入される切欠部が形成されている。なお、レンズ保持部は智２４、２５およびブリッジ２３ともに同様な構造をしており、切欠部も耳側縁部Ｐｏおよび鼻側縁部Ｐｓともに同様の構造をしているので、以下、レンズ保持部材が智２４、２５で切欠部が耳側縁部Ｐｏにある場合について説明する。また、眼鏡レンズ２１、２２および智２４、２５は、左右対称な形状であるため、左側の眼鏡レンズ２１と智２４についてのみ説明し、右側の眼鏡レンズ２２と智２５についてはその説明を省略する。
【００２５】
図２〜図５において、眼鏡レンズ２１は、厚さがレンズの内側から外側に向かって漸次増加するマイナスレンズからなり、耳側縁部Ｐｏには、レンズ保持部材である智２４のレンズ保持部２４Ｂが嵌め込まれる切欠部３０が形成されている。
【００２６】
切欠部３０は、眼鏡レンズ２１の縁面２１ａ、前面２１ｂおよび後面２１ｃに開放しており、耳側縁部Ｐｏの縁面２１ａからレンズ内方に向かって深さを有するように形成された、レンズ前面２１ｂ側から後面２１ｃ側に向かう断面Ｕ字状の溝からなっている。
【００２７】
また、切欠部３０の内周壁には、溝長さ方向（前後方向）の中間に溝断面方向（前後方向に直行する方向）にわたって突条３１が一体に突設されている。すなわち、突条３１は、切欠部３０の上壁３０ａから溝底壁３０ｃを経て下壁３０ｂにいたる全長にわたって形成されており、上壁３０ａおよび下壁３０ｂに形成された突条はレンズ縁面２１ａ側からレンズ内方に向かうように形成されている。そして、突条３１はレンズ２１の正面視においてＵ字状で、上壁３０ａ側の突条３１と下壁３０ｂ側の突条３１の頂部が互いに対向している。また、突条３１は、切欠部３０の溝長さ方向の幅Ｗｏの中央より眼鏡レンズ２１の後面２１ｃ側にずれて形成されることにより、切欠部３０を突条３１よりレンズ前方側の前方溝部３２Ａと、突条３１よりレンズ後方側の後方溝部３２Ｂおよび上下の突条３１間の突条間溝部３２Ｃの３つの部分に分けている。前方溝部３２Ａおよび後方溝部３２Ｂは、上壁３０ａおよび下壁３０ｂが平行になっている。
【００２８】
さらに、突条３１は、その延設されている方向（以下、単に突条延設方向と呼ぶ）に垂直な断面形状が全域にわたって同一で、その断面外形状は緩やかに湾曲した凸曲線からなるように形成されている。この凸曲線は、曲率が一定もしくは緩やかに変化する曲線からなっており、円または楕円の一部であることが好ましい。本実施の形態においては、断面形状が半径ｒの円弧状の突条３１を設けた例を示している。
【００２９】
レンズ保持部材である智２４は、金属材料からなり、基端部２４Ａにテンプル２７の前端が丁番２６を介して折り畳み自在に連結され、先端側が内側に折り曲がった形状に形成されている。智２４の先端部には、切欠部３０に嵌め込まれることにより眼鏡レンズ２１の耳側縁部Ｐｏを保持するレンズ保持部２４Ｂを形成している。
【００３０】
レンズ保持部２４Ｂは、切欠部３０の反転形状を有するように形成されており、切欠部３０のうち前記前方溝部３２Ａに嵌め込まれる部分を有する前方嵌合部３３Ａと、前記後方溝部３２Ｂに嵌め込まれる部分を有する後方嵌合部３３Ｂと、前記突条間溝部３２Ｃに嵌め込まれる部分を有する突条間嵌合部３３Ｃとで構成されている。前方および後方嵌合部３３Ａ、３３Ｂは上面および下面が平行な板状に形成されている。突条間嵌合部３３Ｃは、上面から先端面を経て下面まで、突条３１が嵌り込む溝条３４が形成されることにより、前後方向（溝条幅方向）の中央の板厚が最も薄く、前後に向かって徐々に厚くなっている。また、突条間嵌合部３３Ｃは、レンズ保持部２４Ｂの前後幅Ｗの中央より後方に形成されている。
【００３１】
溝条３４は、突条３１の反転形状をしており、その延設されている方向（以下、単に溝条延設方向と呼ぶ）に垂直な断面形状が全域にわたって同一で、その断面外形状は突条３１と同一の緩やかに湾曲した凹曲線からなるように形成されている。この凹曲線は、曲率が一定もしくは緩やかに変化する曲線からなっており、円または楕円の一部であることが好ましい。本実施の形態においては、断面形状が半径ｒの円弧状の溝条３４を設けた例を示している。
【００３２】
次に、上記眼鏡レンズの保持構造における各部の寸法関係について説明する。
図２および図４において、Ｗｏは切欠部３０の溝長さ（前後幅）である。Ｗｋは切欠部３０の溝幅（上下幅）で、切欠部の全域において溝長さＷｏの半分以下に設定されている。
【００３３】
Ｓ1 は切欠部３０の前方溝部３２Ａの溝長さ、Ｓ2 は突条間溝部３２Ｃの溝長さ（突条３１の幅）、Ｓ3 は後方溝部３２Ｂの溝長さで、切欠部の溝深さ方向全域において、突条間溝部溝長さＳ2 は前方溝部溝長さＳ1 より小さく、かつ、後方溝部溝長さＳ3 より大きく設定されている。なお、前方溝部長さ幅Ｓ1 は突条間溝部長さ幅Ｓ2 と後方溝部長さ幅Ｓ3 の和以上の大きさに設定されているとより好ましい。
【００３４】
ｒｘは突条３１の高さ、ｅは上下の突条３１の間の最小溝幅（頂面間距離）で、突条高さｒｘは、突条間溝部長さＳ2 の半分以下の大きさであるとともに、突条間溝部最小溝幅ｅの半分以上で、かつ突条間溝部最小溝幅ｅ以下に設定されている。
【００３５】
θは突条３１の端縁における接線Ｍ（以下、単に突条接線と呼ぶ）の、前方溝部壁面に対する角度（以下、単に突条接線角度と呼ぶ）で、この突条接線Ｍは突条３１の先端側に傾斜している（突条接線角度θが９０度未満に設定されている）。突条接線角度θはより好ましくは３０〜７５度の範囲内であり、さらに好ましくは４５〜６０度の範囲内である。
【００３６】
なお、本実施の形態のように突条３１の断面外形状が半径ｒの円弧の場合に上記した条件を満たすためには、突条高さｒｘをその円弧を含む円の半径ｒより短くするとよい。すなわち、その円弧を含む円の中心Ｏは、突条３１の底面より外側に位置している。また、突条３１の断面外形状を楕円形の一部とする場合には、その長軸を突条３１の底面より外側に位置させると良く、より好ましくはさらにその長軸を前方溝部壁面と平行にするとよい。また、突条３１の断面外形状を曲率が緩やかに変化する凸曲線にする場合には、突条３１の端部かＲ先端に向かって曲率が徐々に小さくなるようにすると好ましい。
【００３７】
図２および図５において、Ｗｔはレンズ保持部２４Ｂの上下幅（板厚）、Ｗはレンズ保持部２４Ｂの前後幅、Ｗ１ はレンズ保持部２４Ｂのうち切欠部３１内に嵌め込まれる部分の幅（以下、単にレンズ保持部の嵌合幅と呼ぶ）である。上下幅Ｗｔは前方および後方溝部３２Ａ、３２Ｂの溝幅Ｗｋとほぼ等しく、嵌合幅Ｗ１ は切欠部３０の溝長さＷｏと等しい。上下幅Ｗｔは、レンズ保持部の長さ方向全域において嵌合幅Ｗ１ の半分以下に設定されている。
【００３８】
ａは突条間嵌合部３３Ｃの前後幅、ｂは後方嵌合部３３Ｂの前後幅、ｃは前方嵌合部３３Ａの前後幅、ｂ1 は後方嵌合部３３Ｂのうち後方溝部３２Ｂに嵌め込まれる部分の幅（以下単に後方嵌合部嵌合幅と呼ぶ）、ｃ1 は前方嵌合部３３Ａのうち前方溝部３２Ａに嵌め込まれる部分の幅（以下単に前方嵌合部嵌合幅と呼ぶ）、ｂΔは後方嵌合部前後幅ｂと後方嵌合部嵌合幅ｂ1 との寸法差、ｃΔは前方嵌合部前後幅ｃと前方嵌合部嵌合幅ｃ1 との寸法差である。突条間嵌合部前後幅ａは突条間溝部溝長さＳ2 とほぼ等しく、後方嵌合部嵌合幅ｂ1 は後方溝部溝長さＳ3 と等しく、前方嵌合部嵌合幅ｃ1 は前方溝部溝長さＳ1 と等しい。したがって、レンズ保持部２４Ｂの全域において、突条間嵌合部前後幅ａは前方嵌合部嵌合幅ｃ1 より小さく、かつ、後方嵌合部嵌合幅ｂ1 より大きく設定されているとともに、前方嵌合部前後幅ｃは突条間嵌合部前後幅ａと後方嵌合部嵌合幅ｂ1 の和以上の大きさに設定されている。より好ましくは前方嵌合部嵌合幅ｃ1 は突条間嵌合部前後幅ａと後方嵌合部嵌合幅ｂ1 の和以上である。なお、寸法差ｃΔとｂΔはそれぞれ零であってもよい。
【００３９】
ｄは溝条３４の深さ、ｆは突条間嵌合部３３ｃの最小上下幅（溝条３４の底面間距離）である。溝条深さｄは突条高さｒｘと略等く、突条間嵌合部最小上下幅ｆは突条間溝部最小溝幅ｅと略等しい。したがって、溝条深さｄは、突条間嵌合部前後幅ａの半分以下の大きさであるとともに、突条間嵌合部最小上下幅ｆの半分以上かつ突条間嵌合部最小上下幅ｆ以下に設定されている。
【００４０】
θｏは溝条３４の端縁における接線Ｍ1 （以下、単に溝条接線と呼ぶ）の、前方嵌合部壁面に対する角度（以下、単に溝条接線角度と呼ぶ）で、突条接線角度θと略等しい。したがって、溝条接線Ｍ1 は溝条３４の底側に傾斜している（溝条接線角度θｏは９０度未満に設定されている）。より好ましくは３０〜７５度の範囲内であり、さらに好ましくは４５〜６０度の範囲内である。
【００４１】
なお、本実施の形態のように溝条３４の断面外形状が半径ｒ1 の円弧の場合に上記した条件を満たすためには、溝条深さｄをその円弧を含む円の半径ｒ1 より短くするとよい。すなわち、その円弧を含む円の中心Ｏ1 は、溝条３１の両端より外側に位置している。また、溝条３４の断面外形状を楕円形の一部とする場合には、その長軸を溝条３１の両端より外側に位置させるとよく、より好ましくはさらにその長軸を前方嵌合部の壁面と平行にするとよい。また、溝条３４の断面外形状を曲率が緩やかに変化する凹曲線にする場合には、溝条３４の端部から最底部に向かって曲率が徐々に小さくなるようにすると好ましい。
【００４２】
図６において、切欠部３０を切削加工する回転カッター４０は、加工装置のチャックに保持される円柱状のシャンク４０Ａと、シャンク４０Ａの先端面に突設された刃部４０Ｂとを備えている。
【００４３】
刃部４０Ｂは、切欠部３０のうち突条間溝部３２Ｃを加工形成する頸部５０Ｃと、前方溝部３２Ａを加工形成する本体部５０Ａと、後方溝部３２Ｂを加工形成する頭部５０Ｂとで構成されている。本体部５０Ａと頭部５０Ｂの回転刃面の外径ｇは同一の円柱状をしている。頸部５０Ｃの回転刃面は、円弧状の溝（以下単に頸部溝と呼ぶ）が周方向に形成された鼓型を形成しており、頸部溝の深さ（以下単に頸部溝深さと呼ぶ）ｇ1 は溝条深さｄと同じで、頸部５０Ｃの回転刃面の最小外径（以下単に頸部最小径と呼ぶ）ｇ2 はレンズ保持部の突条間嵌合部最小上下幅ｆと同じである。本体部５０Ａの長さＬｏは、前方嵌合部前後幅ｃより長く、頭部５０Ｂの長さＬ1 は、後方嵌合部幅ｂと等しいか僅かに長く、頸部５０Ｃの長さＬ2 は、突条間嵌合部前後幅ａと等しく設定されている。頸部溝深さｇ1 は、頸部長さＬ2 の半分以下の大きさであるとともに、頸部最小径ｇ2 の半分以上かつ頸部最小径ｇ2 以下に設定されている。
【００４４】
頸部溝の端縁における接線（以下、単に頸部溝接線と呼ぶ）の、本体部５０Ａ外周面に対する角度（以下、単に頸部溝接線角度と呼ぶ）は、溝条接線角度θｏと略等しく、頸部溝接線は頸部溝の底側に傾斜している（頸部溝接線角度は９０度未満に設定されている）。より好ましくは３０〜７５度の範囲内であり、さらに好ましくは４５〜６０度の範囲内である。
【００４５】
このような回転カッター４０を、その軸線方向を眼鏡レンズ１の正面方向に対して前面（凸面）のカーブに合わせて傾斜させた状態で、眼鏡レンズ２１の縁面２１ａに押し付けて回転させながらレンズ内方に向けて移動させると、所定形状の切欠部３０を形成することができる。しかる後、切欠部３０に、レンズ保持部２４Ｂを、突条３１に溝条３４を案内させながらレンズ２１の縁面２１ａ側からレンズ内方に、挿入して突条３１と溝条３４を互いに嵌合させた状態で、接着剤によって固定すると、眼鏡レンズの保持構造が完成し、レンズ保持部３４によって眼鏡レンズ２１を安定した状態で保持することができる。
【００４６】
また、このような眼鏡レンズの保持構造によれば、切欠部３０の溝加工時における回転カッター４０の破損を軽減防止することができる。すなわち、回転カッター４０の刃部４０Ｂは、回転刃面の径が細くなる頸部５０Ｃにおいて強度が弱いが、切欠部３０の突条間溝部３２Ｃの溝長さＳ2 を、前方溝部３２Ａの溝長さＳ1 より短く、かつ、後方溝部３２Ｂの溝長さＳ3 より長く設定しているので、このような切欠部３０を形成するための回転カッター４０は、頸部５０Ｃの長さより頭部５０Ｂの長さを短くすることができ、切欠部３０を加工する時に回転カッター４０の頸部に加わる曲げモーメントを小さくすることができる。
【００４７】
また、切欠部３０の突条３１は、その高さｒｘが、突条間溝部３２Ｃの最小溝幅ｅの半分以上最小溝幅ｅ以下でかつ前記突条間溝部３２Ｃの溝長さの半分以下の凸曲線からなり、その端縁における接線Ｍが突条先端側に傾斜しているので、このような切欠部３０を形成するための回転カッター４０は、頸部５０Ｃの太さを頸部溝深さｇ1 以上にすることができるとともに、頸部５０Ｃの外周を緩やかな曲面で、かつ、頸部５０Ｃとその前後の部分（本体部５０Ａおよび頭部５０Ｂ）との接続部分の角度を鈍角にすることができるので、切欠部３０を加工する時に回転カッター４０の頸部５０Ｃやその両端に集中する応力を低減でき、回転カッターの破損を防止することができる。これにより、回転カッター４０が破損することがなく切欠部３０を確実に加工形成することができる。
【００４８】
また、リムレス眼鏡２０においては、テンプル２７を両外側に開くときや装用時に、レンズ保持部材２４、２３は略水平かつレンズ前方方向の外力が加わえられるが、レンズ保持部２４Ｂの前方嵌合部３３Ａの前後幅が、突条間嵌合部３３Ｃの前後幅と後方嵌合部３３Ｂの前後幅の和以上に設定されているので、そのような外力が加わっても、レンズ保持部２４Ｂが曲がったり、破損したりするのを防止することができる。さらに、前方溝部３２Ａの溝長さを突条間溝部３２Ｃの溝長さと後方溝部３２Ｂの溝長さの和以上に設定すると、レンズ保持部２４Ｂの前方嵌合部３３Ａの先端面と、前方溝部３２Ａの底面との前後方向接触幅を大きくとることができ、前記したような外力がレンズ保持部材２４に加わった場合でもレンズ保持構造の強度を大きくできるとともに、突条３１に加わる力も低減でき、突条３１の破損も防止することができる。また、テンプル２７に上下方向の外力が加えれることにより、レンズ保持部２４Ｂに加わるねじれに対しても、前方嵌合部３３Ａの上下面と前方溝部３２Ａの上下壁面との前後方向の接触幅を大きくすることができるので、レンズ保持構造の強度を大きくできる。
【００４９】
また、突条３１はその高さを、前記突条間溝部３２Ｃの溝長さＳ2 の半分以下であり、前記突条３１の断面外形状は凸曲線からなり、その端縁における接線Ｍが突条先端側に傾斜するように設定しているので、応力の集中箇所が少なく、突条３１および突条間嵌合部３３Ｃの折損を防止することができる。突条３１の断面外形状を円や楕円の一部とすると曲率を一定あるいは緩やかに変化させることができるのでより好ましい。なお、楕円の一部にする場合はその長軸が突条３１の底面より外側になるように設定すると突条の高さを低く幅を広くすることができるので突条３１の強度が高くなるとともに、端縁の接線角度Ｍを大きく取れるので、レンズ保持部２４Ｂを前後方向に対して強固に保持できるという点で好ましい。より好ましくはさらに長軸を突条３１の底面と平行にするとよい。
【００５０】
また、レンズ保持部２４Ｂの前方嵌合部３３Ａは上下面が平行の平板形状をしているので、レンズの厚さに応じて切欠部の前後位置を変えた場合にも上記した寸法条件を満たすことができる。
【００５１】
図７〜図９は、本発明の他の実施の形態を示す眼鏡レンズの保持構造の断面図である。
これら実施の形態は、切欠部３０を眼鏡レンズ２１の縁面２１ａと表面２１ｂにだけ開放する断面Ｕ字状の溝とした例を示している。
【００５２】
図７に示したレンズ保持構造の例は、突条間溝部３２Ｃの溝長さＳ2 を、前方溝部３２Ａの溝長さＳ1 より短くかつ後方溝部３２Ｂの溝長さＳ3 より長くするともに、前方溝部３２Ａの溝長さＳ1 を、突条間溝部３２Ｃの溝長さＳ2 と後方溝部３２Ｂの溝長さＳ3 の和以上に設定している。また、レンズ保持部２４は、前方嵌合部３３Ａの前後幅ｃが、突条間嵌合部３３Ｃの前後幅ａと後方嵌合部３３Ｂの前後幅ｂの和以上に設定している。なお、突条間溝部３２Ｃの溝長さＳ2 は突条間嵌合部３３Ｃの前後幅ａと等しく、後方溝部３２Ｂの溝長さＳ3 は後方嵌合部３３Ｂの前後幅ｂと等しいか僅かに大きく、前方嵌合部３３Ａの前後幅ｃは前方溝部３２Ａの溝長さＳ1 より大きい。その他の構成および寸法条件等は、上記した実施の形態と同様である。
【００５３】
図８に示したレンズ保持構造の例は、突条間溝部３２Ｃの溝長さＳ2 を、前方溝部３２Ａの溝長さＳ1 より短くかつ後方溝部３２Ｂの溝長さＳ3 より長くするともに、前方溝部３２Ａの溝長さＳ1 を、突条間溝部３２Ｃの溝長さＳ2 と後方溝部３２Ｂの溝長さＳ3 の和とほぼ等しく設定している。また、レンズ保持部２４は、前方嵌合部３３Ａの前後幅ｃが、突条間嵌合部３３Ｃの前後幅ａと後方嵌合部３３Ｂの前後幅ｂの和以上に設定している。なお、突条間溝部３２Ｃの溝長さＳ2 は突条間嵌合部３３Ｃの前後幅ａと等しく、後方溝部３２Ｂの溝長さＳ3 は後方嵌合部３３Ｂの前後幅ｂと等しいか僅かに大きく、前方嵌合部３３Ａの前後幅ｃは前方溝部３２Ａの溝長さＳ1 より大きい。その他の構成および寸法条件等は、上記した実施の形態と同様である。
【００５４】
図９に示したレンズ保持構造の例は、突条間溝部３２Ｃの溝長さＳ2 を、前方溝部３２Ａの溝長さＳ1 より短くかつ後方溝部３２Ｂの溝長さＳ3 より長くするとともに、前方溝部３２Ａの溝長さＳ1 を、突条間溝部３２Ｃの溝長さＳ2 と後方溝部３２Ｂの溝長さＳ3 の和より小さく設定している。また、レンズ保持部２４は、前方嵌合部３３Ａの前後幅ｃが、突条間嵌合部３３Ｃの前後幅ａと後方嵌合部３３Ｂの前後幅ｂの和以上に設定している。なお、突条間溝部３２Ｃの溝長さＳ2 は突条間嵌合部３３Ｃの前後幅ａと等しく、後方溝部３２Ｂの溝長さＳ3 は後方嵌合部３３Ｂの前後幅ｂと等しいか僅かに大きく、前方嵌合部３３Ａの前後幅ｃは前方溝部３２Ａの溝長さＳ1 より大きい。その他の構成および寸法条件等は、上記した実施の形態と同様である。
【００５５】
図７〜図９に示した実施の形態においても、図１に示した実施の形態と同様の効果を得ることができ、美観、軽量化に優れ、広い視野を確保することができるリムレス眼鏡、リムレス眼鏡フレームを提供することができる。なお、図７〜図９の例において、レンズ保持部２４Ｂの後方嵌合部３３Ｂは上下面平行な場合を示しているが、それに限らず、例えば断面半円形のような曲面にしてもよい。
【００５６】
また、上記した実施の形態においては、いずれも眼鏡レンズ１の耳側縁部Ｐｏを保持するレンズ保持部材２４に適用した例を示したが、ブリッジ２３にも適用することが可能である。ブリッジ２３の場合は、左右の眼鏡レンズ２１、２２を保持するために、１つのブリッジ２３に前記レンズ保持部２４Ｂと同様なレンズ保持部を左右一対設ければよい。
【００５７】
また、上記した実施の形態においては、眼鏡レンズ２１、２２がマイナスレンズの場合で説明したが、これに限らず、プラスレンズや度のないレンズであってもよい。
【実施例】
【００５８】
図７に示した実施の形態にかかるレンズ保持構造において、突条３１および溝条３４の断面外形状を円弧にし、前方溝部溝幅Ｗｋ（＝レンズ保持部上下幅Ｗｔ）を１．０ｍｍ、切欠部溝長さＷｏを２．５ｍｍ、前方溝部溝長さＳ1 を１．３ｍｍ、突条間溝部溝長さＳ2 （＝突条間嵌合部前後幅ａ）を０．７ｍｍ、後方溝部溝長さＳ3 （＝後方嵌合部前後幅ｂ）を０．５ｍｍ、突条高さｒｘ（＝溝条深さｄ）を０．２５ｍｍ、突条間溝部最小溝幅ｅ（＝突条間嵌合部最小上下幅ｆ）を０．５ｍｍ、レンズ保持部前後幅Ｗを２．７ｍｍ、前方嵌合部前後幅ｃを１．５ｍｍに設定した切欠部３０とレンズ保持部（智およびブリッジ）２４Ｂを作成し、切欠部内壁面上に透明な接着剤を塗布した状態で、レンズ保持部２４Ｂを嵌挿し、レンズ保持構造を得た。切欠部３０を切削加工する際に回転カッター４０の破損は見られず、テンプルの開閉に対してもレンズ保持構造、レンズ保持部、切欠部いずれも良好な強度が得られた。
【符号の説明】
【００５９】
２０…リムレス眼鏡、２１、２２…眼鏡レンズ、２１ａ…縁面、２１ａ…前面、２１ｂ…後面、２３…ブリッジ、２４…智、２４Ｂ…レンズ保持部、２７、２８…テンプル、３０…切欠部、３１…突条、３２Ａ…前方溝部、３２Ｂ…後方溝部、３２Ｃ…突条間溝部、３３Ａ…前方嵌合部、３３Ｂ…後方嵌合部、３３Ｃ…突条間嵌合部、３４…溝条、Ｐｏ…耳側縁部、Ｍ…突条端縁接線。
【図１】
2011186048.tif 000003
【図２】
2011186048.tif 000004
【図３】
2011186048.tif 000005
【図４】
2011186048.tif 000006
【図５】
2011186048.tif 000007
【図６】
2011186048.tif 000008
【図７】
2011186048.tif 000009
【図８】
2011186048.tif 000010
【図９】
2011186048.tif 000011
【図１０】
2011186048.tif 000012
【図１１】
2011186048.tif 000013